(57)【要約】【課題】レンズ鏡筒において、光軸方向の移動量を大きくしつつ沈胴時の薄型化を図る。【解決手段】内周面３０ｂにおいて環状溝３７及び回転により光軸方向Ｌにカム作用を及ぼすカム溝３５，３６を有するカム筒３０、カム筒３０の内側に配置されると共にカム溝に係合するフォロワピン４２，５２を有するレンズ枠４１，５１、カム筒３０及びレンズ枠４１，５１の間に配置され，環状溝３７に係合して光軸方向Ｌの移動を規制する係合片７３及びフォロワピン４２，５２を光軸方向Ｌに案内するガイド溝７１，７２を有するガイド筒７０を備え、カム筒３０の環状溝３７及びガイド筒７０の係合片７３は、光軸方向Ｌにおいてカム溝３５，３６と重なり合う領域に形成されている。これにより、レンズ枠４１，５１の移動量を大きくしつつも、レンズ鏡筒を小型化、薄型化することができる。【選択図】図７
2007093999.tif 000002
【特許請求の範囲】
【請求項１】
内周面において環状溝及び回転により光軸方向にカム作用を及ぼすカム溝を有するカム筒と、前記カム筒の内側に配置されると共に前記カム溝に係合するフォロワピンを有するレンズ枠と、前記カム筒及びレンズ枠の間に配置され，前記環状溝に係合して光軸方向の移動を規制する係合片及び前記フォロワピンを光軸方向に案内するガイド溝を有するガイド筒と、を備えたレンズ鏡筒であって、
前記カム筒の環状溝及び前記ガイド筒の係合片は、光軸方向において、前記カム溝と重なり合う領域に形成されている、
ことを特徴とするレンズ鏡筒。
【請求項２】
前記環状溝及び係合片は、光軸方向において、前記カム筒及びガイド筒の略中央領域に形成されている、
ことを特徴とする請求項１記載のレンズ鏡筒。
【請求項３】
前記環状溝は、前記カム溝の深さよりも浅く形成されている、
ことを特徴とする請求項１又は２に記載のレンズ鏡筒。
【請求項４】
前記係合片は、前記環状溝及びカム溝が交差する領域の周方向における前記カム溝の幅よりも幅広く形成されている、
ことを特徴とする請求項１ないし３いずれかに記載のレンズ鏡筒。
【発明の詳細な説明】
【技術分野】
【０００１】
本発明は、光軸方向においてレンズを移動させるレンズ鏡筒に関し、特に、レンズ枠に対して光軸方向にカム作用を及ぼすカム筒及びレンズ枠の回転を規制しつつ光軸方向に案内するガイド筒を備えたレンズ鏡筒に関する。
【背景技術】
【０００２】
従来のレンズ鏡筒としては、固定筒と、レンズを保持すると共にフォロワピンを有するレンズ枠、固定筒に対して出没自在に支持されると共にフォロワピンを挿入するカム溝を内周面に有するカム筒（筒部材）、カム筒の内側に嵌合されると共にレンズ枠の回転を規制しつつ光軸方向に案内するべくフォロワピンをガイドするガイド溝（長孔）を有するガイド筒（筒部材）等を備え、ガイド筒及びカム筒の端部にそれぞれ係合部を設け、両者が光軸方向において外れないように係合させたものが知られている（例えば、特許文献１参照）。
【０００３】
また、従来の他のレンズ鏡筒としては、入れ子状に嵌合される二つの筒部材において、一方の筒部材の端部にバヨネット式の係合片を設け、他方の筒部材の端部に上記バヨネット式の係合片を受け入れる凹部を設け、二つの筒部材を嵌合させた状態で係合片を凹部に係合させて、両者が光軸方向において外れないようにしたものが知られている（例えば、特許文献２参照）。
【０００４】
【特許文献１】特開２００５−１７５８５号公報
【特許文献２】特開平８−２９７２３６号公報
【発明の開示】
【発明が解決しようとする課題】
【０００５】
ところで、上記従来のレンズ鏡筒においては、筒部材の端部において、両者を係合させる係合部を設けているため、カム筒に設けるカム溝を長くしてレンズ枠の移動量を大きく（ズーミングのストロークを長く）すると、係合部はカム溝のさらに外側に配置されるため、全体として筒部材が長くなり、レンズ鏡筒の大型化を招く。
一方、従来のレンズ鏡筒において、小型化を図るべく筒部材を短くすると、係合部には所定の幅が必要なため、カム溝を短くしなければならず、その結果、レンズ枠の移動量が小さく（ズーミングのストロークが短く）なる。すなわち、レンズ枠の移動量を所定の大きさ（ズーミングのストロークを所定の長さ）に維持しつつ、小型化を図るのは困難である。
【０００６】
本発明は、上記従来技術の問題点に鑑みて成されたものであり、その目的とするところは、レンズ枠に対して光軸方向にカム作用を及ぼすカム筒及びレンズ枠の回転を規制しつつ光軸方向に案内するガイド筒を備えたレンズ鏡筒において、レンズ枠の移動量を大きくしつつ（ズーミングのストロークを長くしつつ）、レンズ鏡筒の小型化、薄型化、特に沈胴時の薄型化が図れるレンズ鏡筒を提供することにある。
【課題を解決するための手段】
【０００７】
本発明のレンズ鏡筒は、内周面において環状溝及び回転により光軸方向にカム作用を及ぼすカム溝を有するカム筒と、カム筒の内側に配置されると共にカム溝に係合するフォロワピンを有するレンズ枠と、カム筒及びレンズ枠の間に配置され，環状溝に係合して光軸方向の移動を規制する係合片及びフォロワピンを光軸方向に案内するガイド溝を有するガイド筒と、を備えたレンズ鏡筒であって、上記カム筒の環状溝及びガイド筒の係合片は、光軸方向において、前記カム溝と重なり合う領域に形成されている、ことを特徴としている。
この構成によれば、ガイド筒がカム筒の内側に嵌合されると共にガイド筒の係合片がカム筒の環状溝に係合されることにより、両者の相対的な回転が許容されると同時に両者の相対的な光軸方向への移動が規制される。そして、ガイド筒の回転が規制された状態で、カム筒が回転すると、レンズ枠は、そのフォロワピンがガイド筒のガイド溝により光軸方向にのみ案内されることにより回転が規制されつつ、カム筒のカム溝より光軸方向のカム作用を受けて光軸方向に移動する。
ここで、ガイド筒とカム筒との光軸方向における相対的な移動を規制する係合片及び環状溝は、光軸方向において、カム溝と重なり合う領域に形成されているため、従来のように環状溝及び係合片をカム筒及びガイド筒の端部に設ける場合に比べて、レンズ枠の移動量を大きくしつつも、レンズ鏡筒を小型化、薄型化することができる。したがって、このレンズ鏡筒をデジタルカメラ、銀塩フィルム式カメラ等のレンズ鏡筒として適用した場合に、小型化、特に沈胴時の薄型化を達成することができる。
【０００８】
上記構成において、環状溝及び係合片は、光軸方向において、カム筒及びガイド筒の略中央領域に形成されている、構成を採用することができる。
この構成によれば、カム筒とガイド筒とが、光軸方向の略中央領域においてお互いに係合するため、光軸方向における両者の相対的な移動を規制する規制力がバランス良く作用して、カム筒はガイド筒に対して円滑に回転することができる。
【０００９】
上記構成において、環状溝は、カム溝の深さよりも浅く形成されている、構成を採用することができる。
この構成によれば、カム溝により案内されるフォロワピンが、環状溝に入り込むのを防止することができ、それ故に、カム筒（カム溝）による円滑なカム作用が得られて、レンズ枠は光軸方向に円滑に移動することができる。
【００１０】
上記構成において、係合片は、環状溝及びカム溝が交差する領域の周方向におけるカム溝の幅よりも幅広く形成されている、構成を採用することができる。
この構成によれば、カム筒とガイド筒との相対的な回転により、ガイド筒の係合片がカム溝を横切るとき、係合片の一部は常に環状溝と係合しているため、係合片が環状溝から抜け落ちてカム溝に入り込むのを防止でき、機能上の信頼性を確保することができる。
【発明の効果】
【００１１】
上記構成のレンズ鏡筒によれば、レンズ枠に対して光軸方向にカム作用を及ぼすカム筒及びレンズ枠の回転を規制しつつ光軸方向に案内するガイド筒を備えたレンズ鏡筒において、レンズ枠の移動量を大きくしつつ（ズーミングのストロークを長くしつつ）、レンズ鏡筒の小型化、薄型化、特に沈胴時の薄型化を達成することができる。
【発明を実施するための最良の形態】
【００１２】
以下、本発明の最良の実施形態について、添付図面を参照しつつ説明する。
図１ないし図１３は、本発明に係るレンズ鏡筒を組み込んだレンズ駆動装置の一実施形態を示すものであり、図１は装置の正面図、図２ないし図４は装置の断面図、図５はレンズ鏡筒の側面図及び正面図、図６及び図７はカム筒の側面図及び正面図並びに内周面を示す展開図、図８はカム筒の環状溝とカム溝の深さ関係を示す部分断面図、図９及び図１０はガイド筒の側面図及び断面図並びに展開図、図１１はガイド筒の係合片とカム筒のカム溝の幅関係を示す部分断面図、図１２及び図１３は第１レンズ枠及び第２レンズ枠の側面図及び正面図である。
【００１３】
この装置は、図１ないし図４に示すように、ガラスフィルタ１１、撮像素子としてのＣＣＤ１２等が取り付けられた略矩形形状の輪郭をなすベース１０、ベース１０に固着された固定筒２０、固定筒２０の内側において回転及び直進自在に支持されたカム筒３０、カム筒３０の内側において光軸方向Ｌにそれぞれ移動自在に支持された第１レンズ群４０及び第２レンズ群５０、ベース１０に対して光軸方向Ｌに移動自在に支持された第３レンズ群６０、第１レンズ群４０及び第２レンズ群５０の回転を規制しつつ光軸方向に案内するガイド筒７０、カム筒３０を駆動する駆動機構８０、第３レンズ群６０を駆動する駆動機構９０等を備えている。
【００１４】
固定筒２０は、図１ないし図４に示すように、光軸方向Ｌに軸心をもつように樹脂材料により円筒状に形成されて、ベース１０に固着されている。固定筒２０の内周面２０ａには、周方向において等間隔（約１２０度ごと）に配置され後述する３つのフォロワピン３１に対してカム作用を及ぼす３つのカム溝２１（図においては一部を省略）が形成されている。
【００１５】
カム筒３０は、図２ないし図７に示すように、樹脂材料により円筒状に形成されて、固定筒２０の内側に入れ子状に同軸に配置されている。カム筒３０の外周面３０ａには、周方向において等間隔（約１２０度ごと）に配置された３つのフォロワピン３１、外部から回転駆動力が伝えられる円弧状のラック部３２等が形成されている。カム筒３０の内周面３０ｂには、図２ないし図７に示すように、光軸方向Ｌにおいて第１レンズ群４０にカム作用を及ぼす３つのカム溝３５、光軸方向Ｌにおいて第２レンズ群５０にカム作用を及ぼす３つのカム溝３６、光軸方向Ｌの略中央領域において後述するガイド筒７０の係合片７３を受け入れる環状溝３７が形成されている。
【００１６】
カム溝３５，３６は、断面が略Ｖ字状に形成されており、光軸方向Ｌの略全域に亘って形成されている。したがって、このカム溝３５，３６に沿って後述するフォロワピン４２，５２が案内されると、第１レンズ群４０及び第２レンズ群５０の移動量を大きくすることができる。
環状溝３７は、図７に示すように、光軸方向Ｌにおいて、カム筒３０の内周面３０ｂの略中央領域において、その断面が略矩形の凹部となるように形成されている。
ここで、環状溝３７の深さＨは、図８に示すように、カム溝３５，３６の深さｈよりも浅くなるように形成されている。
これにより、後述するフォロワピン４２，５２が、カム溝３５，３６からそれぞれ抜け落ちて環状溝３７に入り込むのを防止することができる。その結果、カム筒３０はガイド筒７０に対して円滑に回転することができ、カム筒３０（カム溝３５，３６）による円滑なカム作用が得られる。
【００１７】
第１レンズ群４０は、図２ないし図４、図１２に示すように、樹脂材料により略円筒状に形成されレンズＧ１を保持するレンズ枠４１、レンズ枠４１に形成されてカム溝３５に挿入される３つのフォロワピン４２等を備えている。３つのフォロワピン４２は、周方向において等間隔（１２０度の角度ごとに）で配置されて、それぞれカム溝３５に摺動自在に係合するように略円錐状に形成されている。
そして、第１レンズ群４０は、カム筒３０が回動してカム溝３５がカム作用を及ぼすことにより、光軸方向Ｌにおいて前進及び後退する。
【００１８】
第２レンズ群５０は、図２ないし図４、図１３に示すように、樹脂材料により略円筒状に形成されレンズＧ２を保持するレンズ枠５１、レンズ枠５１に形成されてカム溝３６に挿入される３つのフォロワピン５２、レンズ枠５１に固定されたシャッタユニットＳ等を備えている。３つのフォロワピン５２は、周方向において等間隔（１２０度の角度ごとに）で配置されて、それぞれカム溝３６に摺動自在に係合するように略円錐状に形成されている。
そして、第２レンズ群５０は、カム筒３０が回動してカム溝３６がカム作用を及ぼすことにより、光軸方向Ｌにおいて前進及び後退する。
【００１９】
ガイド筒７０は、図２ないし図５、図８に示すように、第１レンズ群４０及び第２レンズ群５０とカム筒３０との間に配置されて、第１レンズ群４０及び第２レンズ群５０の回転を規制しつつ光軸方向Ｌへ往復動自在に案内するものである。
すなわち、ガイド筒７０は、レンズ枠４１のフォロワピン４２を受け入れて光軸方向Ｌに案内する３つのガイド溝７１、レンズ枠５１のフォロワピン５２を受け入れて光軸方向Ｌに案内する３つのガイド溝７２、カム筒３０の内周面３０ｂに形成された環状溝３７に係合される３つの係合片７３、後端部に形成された固定用のフランジ７４、固定筒２０に対して回転不能にかつ光軸方向Ｌに移動自在に係合される突起７５等を備えている。
尚、ここでは、ガイド溝７１及びガイド溝７２は、それぞれ周方向において等間隔（１２０度の角度ごとに）で配置され、又、切り欠かれて光軸方向Ｌに伸長するスリット形状（長孔形状）に形成されており、カム筒３０の内周面３０ｂと協働して溝形状を画定するものである。
【００２０】
３つの係合片７３は、周方向において等間隔（１２０度の角度ごとに）で配置され、光軸方向Ｌに伸長する片持ち梁状すなわちバヨネット式に形成されている。すなわち、係合片７３は、その根元部がガイド筒７０の外側に向けた弾性を付与されており、その自由端部７３ａがガイド筒７０における光軸方向Ｌの略中央領域において屈曲した掛止爪として形成され、カム筒３０の環状溝３７に係合するように（入り込むように）なっている。
そのため、ガイド筒７０をカム筒３０に取り付けるときは、自由端部７３ａがガイド筒７０の外周面から突出しないように内側に押し込んだ状態でカム筒３０に挿入するようにする。
また、係合片７３（の自由端部７３ａ）の周方向における幅Ｗは、図１１に示すように、環状溝３７及びカム溝３５，３６が交差する領域の周方向におけるカム溝３５，３６の幅ω１，ω２よりも幅広く形成されている。
【００２１】
そして、ガイド筒７０は、カム筒３０の内周面３０ｂに嵌合されて、光軸方向Ｌにおいて相対的に移動しない（抜け落ちない）ように係合片７３が環状溝３７に係合され、又、ガイド筒７０が回転しないように（カム筒３０がガイド筒７０に対して相対的に回転するように）その突起７５が固定筒２０に掛止されている。
したがって、カム筒３０が回転すると、ガイド筒７０のガイド溝７１がカム溝３５によりカム作用が及ぼされるフォロワピン４２を光軸方向Ｌにおいてのみ往復動自在に案内し、又、ガイド筒７０のガイド溝７２がカム溝３６によりカム作用が及ぼされるフォロワピン５２を光軸方向Ｌにおいてのみ往復動自在に案内するようになっている。
【００２２】
ここで、ガイド筒７０とカム筒３０とを連結すると共に両者の光軸方向Ｌにおける相対的な移動を規制する係合片７３及び環状溝３７は、図７及び図１１に示すように、光軸方向Ｌにおいて、カム溝３５、３６と重なり合う領域、すなわち、ガイド筒７０及びカム筒３０の両端部ではなく、カム溝３５，３６が設けられた領域に形成されているため、従来のように環状溝及び係合片をカム筒及びガイド筒の端部に設ける場合に比べて、レンズ枠４１，５１の移動量を大きくしつつも、沈胴時においてレンズ鏡筒を小型化、薄型化することができる。したがって、このレンズ鏡筒をデジタルカメラ、銀塩フィルム式カメラ等のレンズ鏡筒として適用した場合に、小型化、特に沈胴時の薄型化を達成することができる。
【００２３】
また、環状溝３７及び係合片７３は、光軸方向Ｌにおいて、カム筒３０及びガイド筒７０の略中央領域に形成されているため、カム筒３０とガイド筒７０とは光軸方向Ｌの略中央領域においてお互いに係合し、光軸方向Ｌにおける両者の相対的な移動を規制する規制力がバランス良く作用して、カム筒３０の内周面とガイド筒７０の外周面が略均等に接触し、カム筒３０はガイド筒７０に対して円滑に回転することができる。
【００２４】
さらに、ガイド筒７０の係合片７３（の自由端部７３ａ）の周方向における幅Ｗは、環状溝３７及びカム溝３５，３６が交差する領域の周方向におけるカム溝３５，３６の幅ω１，ω２よりも幅広く形成されているため、カム筒３０がガイド筒７０に対して相対的に回転して、ガイド筒７０の係合片７３がカム溝３５，３６を横切るとき、係合片７３の一部は常に環状溝３７と係合した状態にある。したがって、係合片７３が環状溝３７から抜け落ちてカム溝３５，３６に入り込むのを防止でき、機能上の信頼性を確保することができる。
【００２５】
第３レンズ群６０は、図２ないし図４に示すように、レンズＧ３を保持するレンズ枠６１、ガイドシャフト１３に連結される連結部６２、駆動機構９０に連結される連結部６３等を備えている。
レンズ枠６１は、固定筒２０の外側に配置されたステップモータ、ステップモータにより駆動されるリードスクリュー、レンズ枠６１に保持されリードスクリューに螺合したナット等を含む駆動機構９０により、光軸方向Ｌにおいて前進及び後退して合焦動作を行うようになっている。
【００２６】
駆動機構８０は、図１に示すように、ベース１０に固定されたＤＣモータ８１、ラック部３２と噛合する歯車８２を含む歯車列等を備えており、ＤＣモータ８１の駆動量をカム筒３０に伝達するようになっている。
すなわち、ＤＣモータ８１が回転すると、歯車８２を含む歯車列を介して、カム筒３０が固定筒２０に対して相対的に回転する。そして、第１レンズ群４０及び第２レンズ群５０は、図２に示すようにカム筒３０及び第１レンズ群４０ないし第３レンズ群６０が後退して入れ子状に収納された非撮影時の沈胴位置から、光軸方向Ｌにおいてそれぞれ繰り出して、図３に示す広角端撮影位置を経て図４に示す望遠端撮影位置までの間を移動し、幅広い撮影が行えるようにストロークの長いズーミング動作を行う。
【００２７】
次に、上記のレンズ鏡筒を備えるレンズ駆動装置がデジタルカメラに搭載された場合の一般的な動作について説明すると、先ず非撮影時において、第１レンズ群４０及び第２レンズ群５０並びにカム筒３０は、図２に示すように、光軸方向Ｌの後方に向けて後退した沈胴位置にある。
この状態においては、カム筒３０の環状溝３７及びガイド筒７０の係合片７３が光軸方向Ｌにおいてカム溝３５，３６と重なり合う略中央領域に形成されているため、ズーミングのストロークを長めに設定することができると同時に、従来のレンズ鏡筒に比べて沈胴時の寸法を短くでき、装置を薄型化、小型化できる。
【００２８】
この沈胴位置から、駆動機構８０によりカム筒３０が回転させられると、フォロワピン３１がカム溝２１に案内されて移動し、カム筒３０は光軸方向Ｌの前方に向かって繰り出す。また、カム筒３０の回転により、フォロワピン４２，５２がガイド溝７１，７２により光軸方向Ｌにのみ案内されつつカム溝３５，３６によるカム作用を受けて、第１レンズ群４０及び第２レンズ群５０は、回転が規制されつつ光軸方向Ｌに移動し、図３に示す広角端撮影位置を経て、図４に示す望遠端撮影位置に至る。一方、第３レンズ群６０は、駆動機構９０により、第１レンズ群４０及び第２レンズ群５０の位置に応じた合焦位置に移動する。
【００２９】
この一連の動作中において、フォロワピン４２，５２は、環状溝３７と交差する領域を通過するときもカム溝３５，３６から外れることなく、カム溝３５，３６に沿って円滑に移動し、又、係合片７３は、カム溝３５，３６と交差する領域を通過するときも環状溝３７から外れることなく、環状溝３７に沿って円滑に移動する。これにより、円滑なズーミング動作が得られ、機能上の信頼性が確保される。
【００３０】
上記実施形態においては、カム筒３０により光軸方向Ｌに移動させられるレンズ枠（レンズ群）として２つのレンズ枠４１，５１（２つのレンズ群４０，５０）を示したが、一つのレンズ枠（レンズ群）を備える構成において、あるいは、３つ以上の複数のレンズ枠（レンズ群）を備える構成において、本発明の構成を採用してもよい。
【産業上の利用可能性】
【００３１】
以上述べたように、本発明のレンズ鏡筒は、ズーミングのストロークを長めに設定できると共に沈胴時の薄型化を達成でき、さらに円滑な動作が得られるため、デジタルスチルカメラ、デジタルビデオカメラ等に搭載されるのは勿論のこと、銀塩フィルム式のカメラにおいても同様に適用することができる。
【図面の簡単な説明】
【００３２】
【図１】本発明に係るレンズ鏡筒を組み込んだレンズ駆動装置の一実施形態を示す正面図である。
【図２】図１に示す装置のレンズ鏡筒が沈胴した状態を示す断面図である。
【図３】図１に示す装置のレンズ鏡筒が繰り出して広角端撮影位置にある状態を示す断面図である。
【図４】図１に示す装置のレンズ鏡筒が繰り出して望遠端撮影位置にある状態を示す断面図である。
【図５】本発明に係るレンズ鏡筒の一実施形態を示すものであり、（ａ）は側面図、（ｂ）は正面図である。
【図６】レンズ鏡胴の一部をなすカム筒を示すものであり、（ａ）は側面図、（ｂ）は正面図である。
【図７】図６に示すカム筒の内周面に形成されたカム溝及び環状溝を示す展開図である。
【図８】レンズ鏡筒の一部をなすカム筒に設けられたカム溝と環状溝の深さ関係を示す部分断面図である。
【図９】レンズ鏡胴の一部をなすガイド筒を示すものであり、（ａ）は側面図、（ｂ）はＥ１−Ｅ１における断面図である。
【図１０】図９に示すガイド筒を示す展開図である。
【図１１】カム筒のカム溝とガイド筒の係合片の周方向における幅関係を示す部分断面図である。
【図１２】レンズ鏡胴の一部をなす第１レンズ群を示すものであり、（ａ）は側面図、（ｂ）は正面図である。
【図１３】レンズ鏡胴の一部をなす第２レンズ群を示すものであり、（ａ）は側面図、（ｂ）は正面図である。
【符号の説明】
【００３３】
Ｌ  光軸方向
Ｇ１，Ｇ２，Ｇ３  レンズ
１０  ベース
１１  ガラスフィルタ
１２  ＣＣＤ
１３  ガイドシャフト
２０  固定筒
２１  カム溝
３０  カム筒
３０ｂ  内周面
３１  フォロワピン
３２  ラック部
３５，３６  カム溝
３７  環状溝
４０  第１レンズ群
４１  レンズ枠
４２  フォロワピン
５０  第２レンズ群
５１  レンズ枠
５２  フォロワピン
６０  第３レンズ群
６１  レンズ枠
６２，６３  連結部
７０  ガイド筒
７１，７２  ガイド溝
７３  係合片
７３ａ  自由端部
７４  フランジ
７５  突起
８０，９０  駆動機構
【図１】
2007093999.tif 000003
【図２】
2007093999.tif 000004
【図３】
2007093999.tif 000005
【図４】
2007093999.tif 000006
【図５】
2007093999.tif 000007
【図６】
2007093999.tif 000008
【図７】
2007093999.tif 000009
【図８】
2007093999.tif 000010
【図９】
2007093999.tif 000011
【図１０】
2007093999.tif 000012
【図１１】
2007093999.tif 000013
【図１２】
2007093999.tif 000014
【図１３】
2007093999.tif 000015